(57)【要約】【課題】  表示されたリスト内の項目を高速でスクロールすることができる「表示制御装置」を提供する。【解決手段】  ユーザは、リスト内のスクロールキー領域Ｊ７、Ｊ８と、スクロール速度等を設定する速度設定領域Ｊ９から入力操作を行う。表示制御装置は、入力操作の移動方向および移動速度を検知し、それらに応じたスクロール方向および速度を判定し、それに基づきリスト内の項目のスクロール速度を可変することができる。これにより、ユーザは、迅速に所望の楽曲を検索することができる。【選択図】  図５
2008015684.tif 000002
【特許請求の範囲】
【請求項１】
ディスプレイに表示される情報の表示を制御する表示制御装置であって、
ディスプレイと、
ディスプレイに表示される領域に対応して操作された入力を検出する入力検出手段と、
情報を記憶する記憶手段と、
記憶手段から読み出された情報に対応する複数の項目をディスプレイに表示し、かつ表示された項目をスクロール可能な表示制御手段と、
前記入力検出手段により検出された入力操作の位置変化に基づき、ディスプレイに表示された項目のスクロール速度を制御するスクロール制御手段と、
を有する表示制御装置。
【請求項２】
前記スクロール制御手段は、入力操作の移動速度に基づきスクロール速度を制御する、請求項１に記載の表示制御装置。
【請求項３】
前記スクロール制御手段は、入力操作の移動速度がしきい値よりも大きい場合、通常動作時よりも高速で項目をスクロールさせる、請求項２に記載の表示制御装置。
【請求項４】
前記スクロール制御手段は、複数の項目を一度にスクロールさせる、請求項３に記載の表示制御装置。
【請求項５】
前記スクロール制御手段は、入力操作の移動方向に基づきスクロール方向を制御する、請求項１ないし４いずれかひとつに記載の表示制御装置。
【請求項６】
前記入力検出手段は、入力操作の位置データを検出し、前記スクロール制御手段は、位置データから入力操作の位置変化を算出する、請求項１に記載の表示制御装置。
【請求項７】
前記表示制御手段は、複数の項目を含むリストをディスプレイに表示し、前記スクロール制御手段は、リスト内において複数の項目のスクロール速度を制御する、請求項１ないし６いずれか１つに記載の表示制御装置。
【請求項８】
前記リストは、スクロール速度を設定するための速度設定領域を含み、前記スクロール制御手段は、前記速度設定領域内で前記入力操作の位置変化があったときリスト内の項目のスクロール速度を制御する、請求項７に記載の表示制御装置。
【請求項９】
前記リストは、リスト内の項目のスクロールを指示するためのスクロールキー領域を含み、前記スクロール制御手段は、前記速度設定領域における入力操作の位置変化と前記スクロールキー領域への入力操作があったとき、通常動作時よりも高速でリスト内の項目をスクロールさせる、請求項７または８に記載の表示制御装置。
【請求項１０】
前記スクロール制御手段は、入力操作の移動速度が速いほどスクロール速度を速くする、請求項１ないし９いずれか１つに記載の表示制御装置。
【発明の詳細な説明】
【技術分野】
【０００１】
本発明は、ディスプレイに表示されたリスト内の項目を高速にスクロールさせる機能を備えた表示制御装置に関する。
【背景技術】
【０００２】
タッチパネルは、液晶やＣＲＴスクリーン上に取り付けられており、タッチスクリーンとも呼ばれ、ＰＤＡ、銀行のＡＴＭ、駅の券売機、ナビゲーション装置、ＡＶ機器などの電子機器への入力手段として広く利用されている。タッチパネルは、指や専用のペンにより画面が接触されると、その接触された位置を検知し、これにより入力操作の有無が判別できるようになっている。タッチパネルは、ディスプレイの下に配置して圧力の変化を検出するタイプと、専用の透明なスクリーンで画面を覆うタイプがある。また画面への接触の検知方法には、感圧式や静電式がある。前者は圧力の変化を感知し、後者は静電気による電気信号を感知している。
【０００３】
特許文献１は、導電性の透明フィルムの損傷を最小化することができるようにしたタッチパネル及びその製造方法に関する。タッチパネルは、スクロールバーが表示される表示パネルと、表示パネルに取り付けられる上部透明シートと、上部透明シートと隔離される下部透明シートと、上部透明シートの上に形成されてスクロールバーと直交する方向の電極が形成される上部透明フィルムと、下部透明シートの上に形成されて電極が形成される下部透明フィルムとを具備する。
【０００４】
【特許文献１】特開２００３−２８８１６８
【発明の開示】
【発明が解決しようとする課題】
【０００５】
図１は、車載用オーディオ装置におけるリストの表示例である。ディスプレイには再生する楽曲を検索するための楽曲リストが表示され、リストには楽曲名が表示された複数の項目Ｊ１〜Ｊ６と、各項目を上下に１項目づつスクロールさせるスクロールキーＪ７、Ｊ８が含まれている。リスト内に所望の楽曲がない場合、ユーザはスクロールキーＪ７またはＪ８を押すことにより、項目を上下方向にスクロールさせ所望の楽曲を検索する。例えばユーザは、指でスクロールキーＪ８を押すことでリスト内の項目を１項目ずつ下方向にスクロールさせることができる。
【０００６】
しかしながら、近年、オーディオ装置等に利用されている記憶装置の大容量化により、オーディオ装置に数多くの楽曲データが記憶されている。ユーザはそれらの中から所望の楽曲を検索しなければならない。上記したようにスクロールキーを操作して１項目ずつスクロールさせると、所望の楽曲の検索に要する時間が長くなってしまう。一方、ロータリ／シャトル複合エンコーダ等を用いてスクロール速度を検出し、任意の速度で項目をスクロールさせることも可能であるが、所望の楽曲の位置でスクロールを停止させることが感覚的に難しく、使い勝手があまりよくないという課題があった。
【０００７】
本発明は、上記従来の課題を解決するために成されたものであり、タッチパネル等の入力操作によりディスプレイに表示されている複数の項目のスクロール速度を可変することができる表示制御装置を提供することを目的とする。
【課題を解決するための手段】
【０００８】
本発明に係る表示制御装置は、ディスプレイと、ディスプレイに表示される領域に対応して操作された入力を検出する入力検出手段と、情報を記憶する記憶手段と、記憶手段から読み出された情報に対応する複数の項目をディスプレイに表示し、かつ表示された項目をスクロール可能な表示制御手段と、前記入力検出手段により検出された入力操作の位置変化に基づき、ディスプレイに表示された項目のスクロール速度を制御するスクロール制御手段とを備えている。
【０００９】
好ましくは、前記スクロール制御手段は、入力操作の移動速度に基づきスクロール速度を制御し、入力操作の移動速度がしきい値よりも大きい場合、通常動作時よりも高速で項目をスクロールさせる。また前記スクロール制御手段は、複数の項目を一度にスクロールし、入力操作の移動方向に基づきスクロール方向を制御する。
【００１０】
好ましくは、前記入力検出手段は、入力操作の位置データを検出し、前記スクロール制御手段は、位置データから入力操作の位置変化を算出する。また前記表示制御手段は、リスト内において複数の項目を含むリストをディスプレイに表示し、前記スクロール制御手段は、複数の項目のスクロール速度を制御する。さらに前記リストは、スクロール速度を設定するための速度設定領域を含み、前記スクロール制御手段は、前記速度設定領域内で前記入力操作の位置変化があったときリスト内の項目のスクロール速度を制御する。
【００１１】
好ましくは、前記リストは、リスト内の項目のスクロールを指示するためのスクロールキー領域を含み、前記スクロール制御手段は、前記速度設定領域における入力操作の位置変化と前記スクロールキー領域への入力操作があったとき、通常動作時よりも高速でリスト内の項目をスクロールさせる。また前記スクロール制御手段は、入力操作の移動速度が速いほどスクロール速度を速くする。
【発明の効果】
【００１２】
本発明の表示制御装置によれば、ユーザはタッチパネル等のディスプレイに対応する領域を操作することで表示されている複数の項目のスクロール速度を任意に可変することができ、これにより、所望の情報の表示または検索等を迅速に行うことができる。
【発明を実施するための最良の形態】
【００１３】
本発明の最良の実施の形態について図面を参照して詳細に説明する。
【実施例】
【００１４】
図２は、本実施例に係る表示制御装置の構成を示すブロック図である。本実施例の表示制御装置１２は、ディスプレイ２０、システム制御装置３０、およびオーディオ装置４０とを含んでいる。ディスプレイ２０は、液晶等のモニタ２２上に、指などの接触により入力を可能とするタッチパネル２４が取り付けられている。タッチパネル２４は、例えば透明電極を備えたシート状のものを液晶モニタ上に積層することができる。好ましくは、ディスプレイ２０は、モニタ２２およびタッチパネル２４を一体化した表示ユニットから構成される。
【００１５】
システム制御装置３０は、ディスプレイ２０を接続されるとともに、複数の電子機器を接続することができる。このシステム制御装置３０は、ディスプレイ２０と複数の電子機器との間のインターフェース的な役割を果たす。本実施例では、システム制御装置３０には、オーディオ装置４０が接続され、これに加えて他の電子機器５０が接続されている。他の電子機器５０は、例えば、ポータブルデバイスやカーナビゲーション装置等の機器である。複数の電子機器が接続されている場合、どの電子機器をソースに使用するかは、ユーザからの指示によって決定される。システム制御装置３０は、ユーザからの指示に応じて、選択された電子機器に対し、当該選択された電子機器を動作可能状態にするためのイネーブル信号を通信線Ｓ１を介して供給する。動作可能状態となった電子機器は、画像信号線４６を介して画像データをディスプレイ２０のモニタ２２に供給し、そこに所望の画像を表示させることができる。
【００１６】
システム制御装置３０は、検知部３２と、メインマイクロコンピュータ（以下、メインマイコン）３６と、メモリ３８とを含んでいる。検知部３２は、タッチパネル２４への入力操作を検知し、検知した座標位置データを出力する。メインマイコン３６は、検知部３２の検知結果を受け取り、タッチパネル２４への入力操作が有効か無効かを判定したり、オーディオ装置４０および他の電子機器５０との間で制御信号等のデータ通信を制御する。入力操作が有効か否かは、入力操作判定用データを用いて行われ、入力操作判定用データは、オーディオ装置４０から供給され、メモリ３８に記憶される。
【００１７】
オーディオ装置４０は、システム制御装置３０との間で通信等を行うメインマイコン４２、オーディオ装置４０の再生動作等を制御するオーディオ用マイコン４４を有する。楽曲データやユーザインターフェース用の画像データ等は、ハードディスク等の大容量記憶媒体４８に格納される。楽曲データは、通信手段を用いて外部サーバからダウンロードしたものを記憶媒体４８に記憶するものであってもよい。オーディオ用マイコン４４は、楽曲を再生するとき、記憶媒体４８に記憶されている楽曲データを読み出し、スピーカー６０から音声出力させたり、ユーザインターフェース用の画像データを画像信号線４６を介してモニタ２２に供給する。
【００１８】
図３（ａ）は、ディスプレイ２０に表示されるリストの表示例である。例えば、オーディオ装置４０において楽曲の選択・再生等するときに、複数の楽曲を含む楽曲リストが表示される。楽曲リストの画像データは、オーディオ用マイコン４４から供給される。楽曲リストには、タッチパネルの入力に対応する表示領域Ｊ１〜Ｊ９が描画され、このいずれかの表示領域にタッチすることで、入力を与えることができる。楽曲表示領域Ｊ１〜Ｊ６は、所望の楽曲名を表示するための領域であり、リスト内に６つの楽曲名が同時に表示されている。スクロールキー表示領域Ｊ７、Ｊ８は、リスト内の楽曲名をスクロールさせ、表示されていない他の楽曲名を表示させる。スクロール速度設定領域Ｊ９は、リスト内の楽曲名のスクロール速度を設定するための領域である。
【００１９】
メモリ３８には、上記したようにタッチパネル２４への入力操作（タッチ操作箇所）がモニタ２２に表示されている画像の所定エリア内にあるか否かを判定するための入力判定用データが記憶されている。入力操作判定用データは、図３（ｂ）に示すような座標位置データを含んでいる。座標位置データＲ１〜Ｒ９は、楽曲リストの入力を指示する表示領域Ｊ１〜Ｊ９に対応するものである。入力操作が座標位置データＲ１〜Ｒ９に含まれていれば、メインマイコン３６は、当該入力操作を有効と判定し、いずれの座標位置データＲ１〜Ｒ９にも含まれていなければ、マインマイコン３６は、当該入力操作を無効と判定する。さらに後述するように、メインマイコン３６は、速度設定領域Ｊ９に対応する座標位置データＲ９への操作入力に関し、ユーザが指を移動させたときの軌跡データを検知部３２により受取り、それに基づき指の移動速度および移動方向を算出する。
【００２０】
次に、本実施例に係る表示制御装置において楽曲を検索する動作について図４のフローチャートを参照して説明する。ユーザから楽曲の選択等の指示があると、オーディオ用マイコン４４は、記憶媒体４８に記憶されている再生可能な楽曲データをサーチし、楽曲データを識別する情報として楽曲名を読み出し、楽曲名をリストアップした画像データを画像信号線４６を介してモニタ２２に出力する（ステップＳ１０１）。これにより、モニタ２２には、図３（ａ）に示すような楽曲リストが表示される。この際、楽曲は、例えば５０音順もしくはアルファベット順に並べて表示される。
【００２１】
次に、ユーザは所望の楽曲を選択する。図３（ａ）に示すリストの項目に所望の楽曲がない場合、ユーザは、スクロールキー領域Ｊ７、Ｊ８および／または速度設定領域Ｊ９にタッチしてリスト内の楽曲名がスクロールするように指示することができる。
【００２２】
メインマイコン３６は、タッチパネル２４への入力操作を検知部３２を介して受取り、リスト内の楽曲のスクロール指示か否かを判定する（ステップＳ１０２）。検知部３２より得られた入力操作の移動軌跡がスクロールキー領域Ｊ７、Ｊ８または速度設定領域Ｊ９のいずれかに該当するとき、メインマイコン３６は、スクロール指示を判定し、それ以外であればスクロール指示でないと判定する（ステップＳ１０３）。
【００２３】
次に、メインマイコン３６は、スクロール指示と判定したとき、スクロール速度を判定する（ステップＳ１０４）。入力操作が、スクロールキー領域Ｊ７またはＪ８の座標位置データＲ７またはＲ８に該当すれば（ステップＳ１０５）、メインマイコン３６は、ノーマルモードのスクロール速度と判定する（ステップＳ１０６）。ノーマルモードとは、リスト内の楽曲を１項目ずつ上送りまたは下送りすることである。一方、入力操作が速度設定領域Ｊ９の座標位置データＲ９に該当するとき、メインマイコン３６は、スクロール速度を高速モードとするか否かを判定する。
【００２４】
すなわち、メインマイコン３６は、入力操作の位置変化、すなわち移動軌跡からユーザが指でなぞるときの指の移動速度を算出し、移動速度が一定のしきい値よりも大きければ（ステップＳ１０７）、高速モードと判定し（ステップＳ１０８）、しきい値よりも小さければノーマルモードと判定する（ステップＳ１０６）。高速モードの場合には、リスト内の項目は、一度に５項目ずつスクロールされる。さらに、メインマイコン３６は、指の移動軌跡から指の移動方向を判定する。
【００２５】
メインマイコン３６は、スクロール方向およびスクロール速度の判定結果を通信線Ｓ１、Ｓ２を介しオーディオ装置４０のメインマイコン４２とオーディオ用マイコン４４に伝える（ステップＳ１０９）。
【００２６】
オーディオ用マイコン４４は、判定された移動方向および移動速度に基づき、ディスプレイに表示すべき楽曲名を記憶媒体４８から読み出す。高速モードであれば、オーディオ用マイコン４４は、５つの項目をスクロールさせたときに表示されるであろう楽曲名を含む楽曲リストを作成し、この画像データを画像信号線４６を介してディスプレイ２０へ送信し、モニタ２２に表示させる（ステップＳ１１０）。
【００２７】
図５は、リスト内の楽曲名を高速モードでスクロールさせるときの操作例である。例えばユーザは、指でタッチパネル２４の速度設定領域Ｊ９を下方向になぞることで、メインマイコン３６は、スクロール方向および速度を判定し、高速モードであれば、オーディオ用マイコン４４は、５項目の楽曲名をスクロールさせ、図３（ａ）に示す状態から図５に示す楽曲リストにする。
【００２８】
こうして、ユーザはノーマルモードおよび高速モードのスクロール機能を使用することでリスト内の項目をスクロールし、迅速に所望の楽曲をモニタ２２に表示させ、所望の楽曲が表示されたら、ユーザはリスト内の楽曲表示領域Ｊ１〜Ｊ６をタッチし、再生する楽曲を選択する。これにより、オーディオ装置４０は、記憶媒体４８に記憶されている楽曲データを読み込み、音声信号線６２を介しスピーカーから入力操作により選択された楽曲を再生する。
【００２９】
上記実施例では、指の移動方向によりスクロール方向を判定するようにしたが、速度設定領域Ｊ９への操作入力とスクロールキー領域Ｊ７、Ｊ８との組み合わせによってスクロールさせるようにしてもよい。例えば、ユーザが速度設定領域Ｊ９からスクロールキー領域Ｊ７まで指を離さずに移動させた場合には、上方向への高速スクロールと判定し、速度設定領域Ｊ９からスクロールキー領域Ｊ８まで指を移動させた場合には、下方向への高速スクロールと判定するようにしてもよい。この場合、スクロールキー領域Ｊ７、Ｊ８へのタッチが継続している間、高速スクロールを連続して行い、スクロールキー領域Ｊ７、Ｊ８へのタッチが解除されたときに、スクロールを停止させるように制御する。また、速度設定領域Ｊ９をタッチした後、所定時間（例えば１秒）以内にスクロールキー領域Ｊ７またはＪ８にタッチした場合に、高速スクロールを開始するようにしてもよい。
【００３０】
さらに上記実施例では、ユーザがタッチパネル２４の速度設定領域Ｊ９をなぞる速度に応じ、スクロール速度を判定したが、タッチパネル２４の速度設定領域Ｊ９をタッチする回数等に応じてスクロール速度を判定してもよい。またスクロール速度は、ノーマルモードと高速モードの２段階に限らず、移動速度に応じた多段階であってもよい。なお、上記速度設定領域Ｊ９は、高速スクロール指示のために専用に設けられた領域であってもよいが、一般的なスクロールバー表示エリアを速度設定領域として兼用することも可能である。
【００３１】
上記実施例では、入力検出装置としてタッチパネルを利用したが、これ以外にも、ディスプレイに表示されている領域に対応して操作された入力を検出するような入力検出装置を用いてもよい。
【００３２】
ディスプレイに表示される項目は、特に限定的に解釈されるものではなく、データを識別するために用いられるようなあらゆる情報を含む。例えばデータに関連付けされた名称やインデックス等の情報を含む。さらに項目やリストの表示形態は特に制限されるものではなく、項目は、スクロール可能な状態で表示されていればよい。
【００３３】
このように本実施例によれば、ユーザはタッチパネル等のディスプレイに対応する領域を操作することで表示されている複数の項目のスクロール速度を任意に可変することができ、これにより、所望の情報の表示および検索等を迅速に行うことができる。
【００３４】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００３５】
本発明に係る表示制御装置は、ナビゲーション装置、ＡＶ機器、ＡＴＭなど、ユーザからの入力に応じて処理を実行する電子機器において広く利用することができる。
【図面の簡単な説明】
【００３６】
【図１】車載用オーディオ装置によるリストの表示例を示す図である。
【図２】本発明の実施例に係る表示制御装置の構成を示すブロック図である。
【図３】図３（ａ）は、リストの表示例を示す図である。図３（ｂ）は、図３（ａ）の入力操作判定用の座標位置データを説明する図である。
【図４】本発明に係る表示制御装置の検索動作を説明するフローチャートである。
【図５】高速モードでスクロールさせるときの操作例である。
【符号の説明】
【００３７】
１２：表示制御装置                    ２０：ディスプレイ
２２：モニタ                          ２４：タッチパネル
３０：システム制御装置                ３２：検知部
３６：メインマイコン                  ３８：メモリ
４０：オーディオ装置                  ４２：メインマイコン
４４：オーディオ用マイコン            ４６：画像信号線
４８：記憶媒体                        ５０：他の電子機器
６０：スピーカー                      ６２：音声信号線
【図１】
2008015684.tif 000003
【図２】
2008015684.tif 000004
【図３】
2008015684.tif 000005
【図４】
2008015684.tif 000006
【図５】
2008015684.tif 000007